(57)【特許請求の範囲】
【請求項１】
折り重ねられた用紙の折り目の方向に沿って折り重ねられた用紙を給紙ローラーにより給紙させて搬送させる用紙搬送装置において、前記の給紙ローラーを、折り重ねられた用紙の折り目と交差する方向における折り重ねられた用紙の中央部よりも折り目に近い位置にのみ配置させるとともに、前記の折り重ねられた用紙を載置させる載置部に前記の折り重ねられた用紙の折り目が前記の給紙ローラーと近い位置にセットされるように操作を案内する案内手段と、少なくとも一方が他方に対して独立して移動可能に構成され、前記載置部上で給紙方向と直交する方向の用紙の位置を規制する一対の規制板とを設け、前記一方の規制板を前記載置部上の用紙の折り目に突き当てながら移動させ、用紙の折り目が前記給紙ローラーと近い位置になる様に用紙の位置を規制可能に構成させたことを特徴とする用紙搬送装置。
【請求項２】
請求項１に記載の用紙搬送装置において、前記の案内手段は、折り重ねられた用紙の折り目が前記の給紙ローラーと重なる位置になるように前記の載置部にセットされる操作を案内することを特徴とする用紙搬送装置。
【請求項３】
請求項１又は請求項２に記載の用紙搬送装置において、前記の給紙ローラーを折り重ねられた用紙の折り目と重なる位置に配置させたことを特徴とする用紙搬送装置。
【請求項４】
請求項１〜請求項３の何れか１項に記載の用紙搬送装置において、前記の給紙ローラーを折り重ねられた用紙の折り目の方向と交差する方向に移動可能に設けたことを特徴とする用紙搬送装置。
【請求項５】
請求項１〜請求項４の何れか１項に記載の用紙搬送装置により折り重ねられた用紙を画像形成部に搬送させて画像形成を行うことを特徴とする画像形成装置。
【請求項６】
請求項５に記載の画像形成装置において、折り重ねられた用紙の両面に画像を形成することを特徴とする画像形成装置。
【請求項７】
請求項６に記載の画像形成装置において、画像形成部において片面に画像が形成された折り重ねられた用紙を反転させて画像形成部に導く反転搬送経路を設けたことを特徴とする画像形成装置。
【発明の詳細な説明】
【技術分野】
【０００１】
本発明は、折り重ねられた用紙の折り目の方向に沿って折り重ねられた用紙を給紙ローラーにより給紙させて搬送させる用紙搬送装置及びこの用紙搬送装置により折り重ねられた用紙を画像形成部に搬送させて画像形成を行う画像形成装置に関するものである。特に、折り重ねられた用紙の折り目の方向に沿って折り重ねられた用紙を給紙ローラーにより給紙させて搬送させる際に、折り重ねられた用紙の上面と下面との重なりがずれて搬送ミスが発生するのを防止し、折り重ねられた用紙を搬送させて画像形成を行う場合に、用紙に形成される画像の位置がずれたりするのを簡単に防止できるようにした点に特徴を有するものである。
【背景技術】
【０００２】
複写機、プリンター等の画像形成装置においては、使用できる用紙の最大サイズが決まっており、例えば、使用できる用紙の最大サイズがＡ４サイズの場合には、これより大きなサイズに画像を形成することができないため、従来においては、１つの大きな画像を２つの用紙に分割させて形成し、その後、この２つの用紙をテープなどで連結させて、１つの大きな画像を形成するようにしていた。
【０００３】
しかし、このような作業は非常に面倒であって時間を要すると共に、２つの用紙をテープなどで連結させる際に画像にずれが発生する等の問題があった。
【０００４】
このため、近年においては、特許文献１〜３に示されるように、大きな用紙を２つ折りする等、大きな用紙を折り重ねてサイズを小さくし、このように折り重ねられた用紙をその折り目の方向に沿うようにして給紙ローラーにより給紙させて搬送させ、この折り重ねられた用紙の片面に画像を形成した後、この折り重ねられた用紙を反転させて、この折り重ねられた用紙の反対側の面に画像を形成し、その後、折り重ねられた用紙を広げて、大きな画像を１枚の用紙に形成するようにしたものが提案されている。
【０００５】
しかし、このように折り重ねられた用紙をその折り目の方向に沿うようにして給紙ローラーにより給紙させて搬送させる場合、給紙ローラーにより折り重ねられた用紙の上面が引っ張られて、折り重ねられた用紙の上面と下面との重なりがずれ、このように折り重ねられた用紙の上面と下面とがずれた状態で搬送されることにより、搬送される用紙が装置に詰まってジャムが発生したり、このような用紙に形成される画像の位置がずれたりする等の問題があった。
【０００６】
このため、特許文献１においては、折り重ねられた用紙の一部をのりで接着させて、折り重ねられた用紙の上面と下面とがずれるのを防止すると共に、のりで接着された部分の内側にミシン目を設けて、のりで接着された部分が切り離すことができるようにし、のりで接着された状態で折り重ねられた用紙の両面に画像を形成した後、前記のミシン目において、のりで接着させた部分を分離させて、折り重ねられた用紙を広げるようにしたものが提案されている。
【０００７】
しかし、このように折り重ねられた用紙の一部をのりで接着させると共に、のりで接着された部分の内側にミシン目を設けた特別の用紙を準備することは面倒で、コストが高く付くつくと共に、折り重ねられた用紙の両面に画像を形成した後、のりで接着させた部分をミシン目において分離させて用紙を広げる作業が面倒で時間を要し、さらに折り重ねられた用紙がミシン目において適切に分離されずに、用紙が破れたりする等の問題もあった。
【０００８】
また、特許文献２においては、折り重ねられた用紙の一部又は全部を粘着剤で仮着させて、折り重ねられた用紙の上面と下面とがずれるのを防止し、この状態で、折り重ねられた用紙の両面に画像を形成した後、粘着剤で仮着された用紙を広げるようにしたものが提案されている。
【０００９】
しかし、このように折り重ねられた用紙の一部又は全部が粘着剤で仮着された特別の用紙を準備することは面倒でコストが高く付き、また折り重ねられた用紙の両面に画像を形成した後、粘着剤で仮着された用紙を広げる作業も面倒で時間を要すると共に、用紙を広げる際に用紙が破れたりし、さらに広げた用紙における粘着剤が他の用紙等に付着するという問題があった。
【００１０】
また、特許文献３においては、用紙を給紙ローラー対に送る寄せローラー（ピックアップローラー）と、給紙ローラー対における下ローラー（捌きローラー）とを制御し、通常の用紙の場合には、前記の寄せローラーを用紙に接触させて、用紙を給紙ローラー対に送ると共に、給紙ローラー対における下ローラーの回転を停止させて、重送された用紙を分離させるようにする一方、折り重ねられた用紙を給紙させて搬送させる場合には、前記の寄せローラーを折り重ねられた用紙に接触させないようにすると共に、前記の給紙ローラー対における下ローラーを、用紙を送り出す方向に回転させて、折り重ねられた用紙の上面と下面との重なりがずれるのを抑制するようにしたものが提案されている。
【００１１】
しかし、このように用紙の種類に応じて、寄せローラーを移動させて用紙に接触させたり、用紙から離したり、さらに用紙の種類に応じて、下ローラーを回転させたり、停止させたりする操作を、その都度、制御することは面倒で時間を要すると共に、装置が複雑になって大型化するという問題があった。
【先行技術文献】
【特許文献】
【００１２】
【特許文献１】特開昭６２−１２９８３３号公報
【特許文献２】ＷＯ  ２００６／０６８２３６  Ａ１
【特許文献３】特開２００３−１２１６９号公報
【発明の開示】
【発明が解決しようとする課題】
【００１３】
本発明は、折り重ねられた用紙をその折り目の方向に沿うようにして給紙ローラーにより給紙させて搬送させる場合における前記のような問題を解決することを課題とするものである。
【００１４】
すなわち、本発明においては、折り重ねられた用紙をその折り目の方向に沿うようにして給紙ローラーにより給紙させて搬送させる際に、折り重ねられた用紙の上面と下面との重なりがずれて搬送ミスが発生したりするのを簡単に防止できると共に、このように折り重ねられた用紙を搬送させて画像形成を行う場合に、用紙に形成される画像の位置がずれたりするのを簡単に防止できるようにすることを課題とするものである。
【課題を解決するための手段】
【００１５】
本発明に係る用紙搬送装置においては、上記の課題を解決するため、折り重ねられた用紙の折り目の方向に沿って折り重ねられた用紙を給紙ローラーにより給紙させて搬送させる用紙搬送装置において、前記の給紙ローラーを、折り重ねられた用紙の折り目と交差する方向における折り重ねられた用紙の中央部よりも折り目に近い位置にのみ配置させるとともに、前記の折り重ねられた用紙を載置させる載置部に前記の折り重ねられた用紙の折り目が前記の給紙ローラーと近い位置にセットされるように操作を案内する案内手段と、少なくとも一方が他方に対して独立して移動可能に構成され、前記載置部上で給紙方向と直交する方向の用紙の位置を規制する一対の規制板とを設け、前記一方の規制板を前記載置部上の用紙の折り目に突き当てながら移動させ、用紙の折り目が前記給紙ローラーと近い位置になる様に用紙の位置を規制可能に構成させた。
【００１６】
このように給紙ローラーを折り重ねられた用紙の中央部よりも折り目に近い位置にのみ配置させると、折り重ねられた用紙が折り目に近い位置で給紙ローラーにより給紙されて搬送されるようになり、折り重ねられた上面側の用紙と下面側の用紙とがずれるのが抑制されるようになる。特に、給紙ローラーを折り重ねられた用紙の折り目と重なる位置に配置させると、給紙ローラーにより折り重ねられた用紙を折り目の方向に沿って給紙させて搬送させる際に、折り重ねられた上面側の用紙と下面側の用紙とがずれるのが一層抑制されるようになる。
【００１７】
ここで、上記のように給紙ローラーを折り重ねられた用紙の中央部よりも折り目に近い位置に配置させるにあたっては、この給紙ローラーを折り重ねられた用紙の折り目の方向と交差する方向に移動可能に設け、必要に応じて、給紙ローラーを折り重ねられた用紙の中央部よりも折り目に近い位置に移動させるようにすることができる。
【００１８】
また、本発明に係る用紙搬送装置においては、少なくとも一方が他方に対して独立して移動可能に構成され、前記載置部上で給紙方向と直交する方向の用紙の位置を規制する一対の規制板を設け、前記一方の規制板を前記載置部上の用紙の折り目に突き当てながら移動させ、用紙の折り目が前記給紙ローラーと近い位置になる様に用紙の位置を規制可能に構成させた。このようにすると、折り重ねられた用紙を載置部から折り目の方向に沿って給紙ローラーにより給紙させて搬送させる際に、この規制板により折り重ねられた用紙が送りだされる方向が規制され、折り重ねられた上面側の用紙と下面側の用紙とがずれるのが一層抑制されるようになる。
【００１９】
また、本発明に係る画像形成装置においては、前記の用紙搬送装置により折り重ねられた用紙を画像形成部に搬送させて画像形成を行うようにした。
【００２０】
そして、本発明に係る画像形成装置において、前記の用紙搬送装置により折り重ねられた用紙を画像形成部に搬送させるにあたり、折り重ねられた用紙を載置部にセットさせるにあたり、前記のような案内手段を設け、この案内手段により折り重ねられた用紙を載置部にセットさせる操作を案内させるようにすると、操作者が誤操作するのを抑制し、折り重ねられた用紙が折り目の方向に沿って給紙ローラーにより適切に給紙させて搬送されるようにすることができる。
【００２１】
そして、本発明に係る画像形成装置において、大きな用紙に画像を形成するためには、折り重ねられた用紙の両面に画像を形成し、この折り重ねられた用紙を広げるようにする。
【００２２】
また、このように折り重ねられた用紙の両面に画像を形成するにあたっては、折り重ねられた用紙を画像形成部に導いて折り重ねられた用紙の片面に画像を形成した後、この折り重ねられた用紙の表裏を反転させて再度セットし、この折り重ねられた用紙を画像形成部に導いて、折り重ねられた用紙の反対側の面に画像を形成させるようにする他、画像形成部において片面に画像が形成された折り重ねられた用紙を反転させて画像形成部に導く反転搬送経路を設け、この反転搬送経路において折り重ねられた用紙を反転させて画像形成部に導き、折り重ねられた用紙の反対側の面に画像を形成させるようにすることができる。
【発明の効果】
【００２３】
本発明の用紙搬送装置においては、上記のように給紙ローラーを折り重ねられた用紙の中央部よりも折り目に近い位置にのみ配置させ、折り重ねられた用紙を折り目に近い位置で折り目の方向に沿って給紙ローラーにより給紙させて搬送させるようにしたため、折り重ねられた上面側の用紙と下面側の用紙とがずれるのが簡単に抑制され、折り重ねられた用紙が適切に給紙されて搬送されるようになる。
【００２４】
また、上記のようにして折り重ねられた用紙を折り目の方向に沿って給紙ローラーにより給紙させて画像形成部に導き、折り重ねられた用紙の片面に画像を形成すると、折り重ねられた用紙の上面と下面とがずれることなく、折り重ねられた用紙に画像が適切に形成されるようになる。
【００２５】
また、上記のようにして折り重ねられた用紙を折り目の方向に沿って給紙ローラーにより給紙させて画像形成部に導き、折り重ねられた用紙の片面に画像を形成した後、この折り重ねられた用紙を反転させて画像形成部に導き、折り重ねられた用紙の反対側の面に画像を形成させるようにすると、折り重ねられた用紙の上面と下面とがずれることなく、折り重ねられた用紙の両面に画像が適切に形成されるようになる。
【００２６】
そして、このように折り重ねられた用紙の両面に画像を形成した後、この折り重ねられた用紙を広げるだけで、大きな画像を１枚の用紙に形成することが簡単に行えるようになる。
【図面の簡単な説明】
【００２７】
【図１】本発明の実施形態において、給紙されて搬送される用紙に画像を形成する画像形成装置の例を示した概略説明図である。
【図２】前記の実施形態において、大きな用紙を折り目において２つ折りする工程を示した概略説明図である。
【図３】前記の実施形態において、給紙ローラーを折り重ねられた用紙の中央部よりも折り目に近い位置に配置させて、給紙カセットや手差しトレイの載置部に載置された折り重ねられた用紙を、給紙ローラーによって給紙させる状態を示した概略平面図である。
【図４】前記の実施形態において、前記のように給紙カセットや手差しトレイの載置部に載置された折り重ねられた用紙を、給紙ローラーによって給紙させる状態を示した概略説明図である。
【図５】前記の実施形態において、給紙ローラーを折り重ねられた用紙の折り目に重なる位置に配置させて、給紙カセットや手差しトレイの載置部に載置された折り重ねられた用紙を、給紙ローラーによって給紙させる状態を示した概略平面図である。
【図６】前記の実施形態において、給紙ローラーを折り重ねられた用紙の折り目の近くや、折り重ねられた用紙の折り目に重なるように位置させるにあたり、給紙ローラーを、折り重ねられた用紙の折り目の方向と交差する方向に移動可能に設けた状態を示した概略平面図である。
【図７】前記の実施形態において、折り重ねられた用紙が折り目の方向と交差する方向に移動するのを規制する規制板の一方を折り目の方向と交差する方向に移動させて、折り重ねられた用紙の折り目が給紙ローラーと重なるようにして、折り重ねられた用紙を給紙カセットや手差しトレイの載置部にセットさせる状態を示した概略平面図である。
【図８】前記の実施形態において、折り重ねられた用紙を画像形成装置における給紙カセットから給紙させて、折り重ねられた用紙の両面にトナー画像を形成し、このように両面にトナー画像が形成された折り重ねられた用紙を広げた状態を示した概略説明図である。
【図９】前記の実施形態において、折り重ねられた用紙を画像形成装置における手差しトレイから給紙させて、折り重ねられた用紙の両面にトナー画像を形成し、このように両面にトナー画像が形成された折り重ねられた用紙を広げた状態を示した概略説明図である。
【発明を実施するための最良の形態】
【００２８】
次に、この発明の実施形態に係る用紙搬送装置及び画像形成装置を添付図面に基づいて具体的に説明する。なお、本発明に係る用紙搬送装置及び画像形成装置は、下記の実施形態に示したものに限定されず、その要旨を変更しない範囲において適宜変更して実施できるものである。
【００２９】
この実施形態の画像形成装置１においては、図１に示すように、給紙カセット１１に収容された用紙Ｓを給紙ローラー１２により給紙カセット１１から導き出して、この給紙ローラー１２の下に設けられた分離ローラー１３との間に導くようにしている。そして、給紙ローラー１２により複数枚の用紙Ｓが一緒に引き出されて分離ローラー１３との間に導かれた場合には、この給紙ローラー１２と分離ローラー１３との間で重送された用紙Ｓを分離させて、一枚の用紙Ｓを給紙ローラー１２と分離ローラー１３との間を通してタイミングローラー１４に搬送させるようにしている。
【００３０】
また、前記の給紙カセット１１とは別に手差しトレイ１５を設け、この手差しトレイ１５にセットされた用紙Ｓを給紙ローラー１６により給紙させると共に、この給紙ローラー１６により複数枚の用紙Ｓが一緒に給紙された場合には、この給紙ローラー１６とその下に設けられた捌きパッド１７との間で用紙Ｓを分離させて、この給紙ローラー１６と捌きパッド１７との間を通して一枚の用紙Ｓを前記のタイミングローラー１４に搬送させるようにしている。
【００３１】
そして、前記のように給紙カセット１１や手差しトレイ１５から給紙されてタイミングローラー１４に導かれた用紙Ｓを、このタイミングローラー１４により適当なタイミングで画像形成を行う画像形成部２０に送るようにしている。
【００３２】
ここで、この画像形成部２０においては、回転する感光体２１の表面を帯電ローラー２２によって帯電させ、このように帯電された感光体２１の表面に潜像形成装置２３により画像情報に基づく露光を行って、感光体２１の表面に静電潜像を形成するようにしている。次いで、この感光体２１の表面に形成された静電潜像の部分に現像装置２４からトナーを供給して、感光体２１の表面にトナー画像を形成し、このトナー画像を回転する感光体２１によって転写ローラー２５と対向する位置に導くようにしている。
【００３３】
そして、このように感光体２１の表面に形成されたトナー画像が転写ローラー２５と対向する位置に導かれるタイミングに合わせて、前記の用紙Ｓをタイミングローラー１４により感光体２１と転写ローラー２５との間に導き、感光体２１の表面に形成されたトナー画像を転写ローラー２５により前記の用紙Ｓに転写させると共に、用紙Ｓに転写されずに感光体２１の表面に残ったトナー等をクリーニング装置２６によって感光体２１の表面から除去するようにしている。
【００３４】
また、前記のようにトナー画像が転写された用紙Ｓを定着装置２７に導き、この定着装置２７によって転写されたトナー画像を用紙Ｓに定着させた後、このようにトナー画像が定着された用紙Ｓを排紙・反転ローラー３１に導くようにしている。
【００３５】
そして、用紙Ｓの片面にだけトナー画像を形成する場合には、前記の排紙・反転ローラー３１を排紙方向に回転させて、トナー画像が定着された用紙Ｓを排紙トレイ３２の上に排出させるようにしている。
【００３６】
一方、片面にトナー画像が形成された前記の用紙Ｓに対して、反対側の面にも連続してトナー画像を形成する場合には、前記の排紙・反転ローラー３１を排紙方向にある程度回転させた後、この排紙・反転ローラー３１を反転させて、排紙・反転ローラー３１に導かれた用紙Ｓを排紙方向とは逆方向に送り、反転ガイド部材３３を介してこの用紙Ｓを反転搬送経路Ｒに導くようにする。そして、この反転搬送経路Ｒを通して前記の用紙Ｓを反転させ、このように反転された用紙Ｓを前記のタイミングローラー１４に導き、その後は、用紙Ｓが反転されてトナー画像が形成されていない用紙Ｓの面に、前記の場合と同様にしてトナー画像を形成するようにしている。
【００３７】
ここで、この実施形態の画像形成装置１において、例えば、使用できる用紙Ｓの大きさがＡ４サイズである場合に、Ａ３サイズの用紙Ｓに画像を形成するにあたっては、図２（Ａ），（Ｂ）に示すように、Ａ３サイズの用紙Ｓの長辺の中央部に折り目Ｓａを設け、この折り目Ｓａの位置においてＡ３サイズの用紙Ｓを２つ折りしてＡ４サイズになるように折り重ねる。
【００３８】
そして、このように２つ折りされて折り重ねられた用紙Ｓを前記の給紙ローラー１２，１６によって給紙させるにあたっては、図３及び図４に示すように、前記の給紙カセット１１や手差しトレイ１５において用紙Ｓを載置させる載置部１１ａ，１５ａに、前記の折り重ねられた用紙Ｓが折り目Ｓａの方向と交差する方向に移動するのを規制する規制板１１ｂ，１５ｂを設け、この規制板１１ｂ，１５ｂにより、折り重ねられた用紙Ｓの給紙方向と交差する用紙Ｓの幅方向両側を規制させると共に、前記の給紙ローラー１２，１６を折り重ねられた用紙Ｓの中央部よりも折り目Ｓａに近い位置に配置させるようにする。
【００３９】
そして、このように給紙カセット１１や手差しトレイ１５の載置部１１ａ，１５ａに載置された前記の折り重ねられた用紙Ｓを、前記の給紙ローラー１２，１６により折り目Ｓａの方向に沿って給紙させるようにすると、前記の規制板１１ｂ，１５ｂによって折り重ねられた用紙Ｓが送り出される方向が規制されると共に、折り重ねられた用紙Ｓの折り目Ｓａに近い位置で、折り重ねられた用紙Ｓが前記の給紙ローラー１２，１６によって引き出されるようになる。
【００４０】
このため、折り重ねられた用紙Ｓを前記の給紙ローラー１２，１６によって給紙させる際に、折り重ねられた用紙Ｓの上面側の用紙Ｓ１と下面側の用紙Ｓ２とがずれるのが防止され、折り重ねられた用紙Ｓが適切な状態で前記のタイミングローラー１４から画像形成部２０に送られて、前記の感光体２１と対面する折り重ねられた用紙Ｓの面に、トナー画像がずれたりすることなく適切に形成されるようになる。
【００４１】
なお、前記の実施形態においては、前記の給紙ローラー１２，１６を折り重ねられた用紙Ｓの中央部よりも折り目Ｓａに近い位置に配置させるようにしたが、折り重ねられた用紙Ｓを前記の給紙ローラー１２，１６によって給紙させる際に、折り重ねられた用紙Ｓの上面側の用紙Ｓ１と下面側の用紙Ｓ２とがずれるのを一層抑制するためには、給紙ローラー１２，１６が折り重ねられた用紙Ｓの折り目Ｓａと接触するようにし、或いは図５に示すように、給紙ローラー１２，１６が折り重ねられた用紙Ｓの折り目Ｓａに重なるようにし、その一部が折り重ねられた用紙Ｓの折り目Ｓａの位置よりも外方に突出されるようにすることが好ましい。
【００４２】
また、前記のように給紙ローラー１２，１６を、折り重ねられた用紙Ｓの折り目Ｓａの近くや、折り重ねられた用紙Ｓの折り目Ｓａに重なるように位置させるにあたっては、図６に示すように、給紙ローラー１２，１６を折り重ねられた用紙Ｓの折り目Ｓａの方向と交差する方向に移動可能に設けるようにすることができる。
【００４３】
また、前記のように給紙ローラー１２，１６を、折り重ねられた用紙Ｓの折り目Ｓａの近くや、折り重ねられた用紙Ｓの折り目Ｓａに重なるように位置させるにあたり、折り重ねられた用紙Ｓの大きさが異なる場合、図７に示すように、折り重ねられた用紙Ｓが折り目Ｓａの方向と交差する方向に移動するのを規制する前記の規制板１１ｂ，１５ｂの少なくとも一方を折り目Ｓａの方向と交差する方向に移動可能に設け、この規制板１１ｂ，１５ｂを移動させ、折り重ねられた用紙Ｓの折り目Ｓａが、給紙ローラー１２，１６の近くや、給紙ローラー１２，１６と重なるようにようにして、大きさが異なる折り重ねられた用紙Ｓを給紙カセット１１や手差しトレイ１５の載置部１１ａ，１５ａにセットさせるようにすることができる。
【００４４】
ここで、前記の画像形成装置１において、前記の給紙カセット１１から前記のようにして折り重ねられた用紙Ｓを給紙させて画像形成を行うにあたっては、前記のように折り重ねられた用紙Ｓの折り目Ｓａの位置に給紙ローラー１２をセットし、この給紙ローラー１２により折り重ねられた用紙Ｓを給紙させて前記のタイミングローラー１４に導くようにする。
【００４５】
そして、このタイミングローラー１４により前記の折り重ねられた用紙Ｓを適当なタイミングで画像形成部２０に送ると、この折り重ねられた用紙Ｓにおける上面側の用紙Ｓ１が前記の感光体２１と対面する位置に導かれるようになり、このように感光体２１と対面する位置に導かれた上面側の用紙Ｓ１に、図８（Ａ）に示すように、例えば「×」のトナー画像を形成する。
【００４６】
次いで、このように上面側の用紙Ｓ１にトナー画像が形成された折り重ねられた用紙Ｓを、前記の反転搬送経路Ｒを通して反転させて、前記のタイミングローラー１４に導くようにする。
【００４７】
そして、前記のように反転された折り重ねられた用紙Ｓを、タイミングローラー１４により適当なタイミングで画像形成部２０に送ると、この折り重ねられた用紙Ｓにおいてトナー画像が形成されていない下面側の用紙Ｓ２が前記の感光体２１と対面する位置に導かれるようになり、このように感光体２１と対面する位置に導かれた下面側の用紙Ｓ２に、図８（Ｂ）に示すように、例えば「○」のトナー画像を形成する。
【００４８】
そして、このように折り重ねられた用紙Ｓにおける上面側の用紙Ｓ１に「×」、下面側の用紙Ｓ２に「○」のトナー画像を形成した後、折り重ねられた用紙Ｓを広げることにより、Ａ３サイズの大きな用紙Ｓに対して「○」と「×」のトナー画像が簡単且つ適切に形成されるようになる。
【００４９】
また、前記の画像形成装置１において、前記の手差しトレイ１５から前記のようにして折り重ねられた用紙Ｓを給紙させて画像形成を行う場合にも、前記のように折り重ねられた用紙Ｓの折り目Ｓａの位置に給紙ローラー１６をセットし、この給紙ローラー１６により折り重ねられた用紙Ｓを給紙させて前記のタイミングローラー１４に導くようにする。
【００５０】
そして、このタイミングローラー１４により前記の折り重ねられた用紙Ｓを適当なタイミングで画像形成部２０に送ると、この折り重ねられた用紙Ｓにおける下面側の用紙Ｓ２が前記の感光体２１と対面する位置に導かれるようになり、このように感光体２１と対面する位置に導かれた下面側の用紙Ｓ２に、図９（Ａ）に示すように、例えば「○」のトナー画像を形成する。
【００５１】
次いで、このように下面側の用紙Ｓ２にトナー画像が形成された折り重ねられた用紙Ｓを、前記の反転搬送経路Ｒを通して反転させて、前記のタイミングローラー１４に導くようにする。
【００５２】
そして、前記のように反転された折り重ねられた用紙Ｓを、タイミングローラー１４により適当なタイミングで画像形成部２０に送ると、この折り重ねられた用紙Ｓにおいてトナー画像が形成されていない上面側の用紙Ｓ１が前記の感光体２１と対面する位置に導かれるようになり、このように感光体２１と対面する位置に導かれた上面側の用紙Ｓ１に、図９（Ｂ）に示すように、例えば「×」のトナー画像を形成する。
【００５３】
その後、このように下面側の用紙Ｓ２に「○」、上面側の用紙Ｓ１に「×」のトナー画像が形成された折り重ねられた用紙Ｓを広げることにより、Ａ３サイズの大きな用紙Ｓに対して「○」と「×」のトナー画像が簡単且つ適切に形成されるようになる。
【００５４】
ここで、この実施形態においては、折り重ねられた用紙Ｓの両面にトナー画像を形成するにあたり、前記のように折り重ねられた用紙Ｓの片面にトナー画像を形成した後、この折り重ねられた用紙Ｓを、前記の反転搬送経路Ｒを通して反転させて、トナー画像が形成されていない折り重ねられた用紙Ｓの反対側の面にトナー画像を形成するようにした。
【００５５】
しかし、折り重ねられた用紙Ｓの両面にトナー画像を形成する方法はこのような方法に限定されず、折り重ねられた用紙Ｓの片面にトナー画像を形成した後、この折り重ねられた用紙Ｓを排紙トレイ３２の上に排出させ、このように排出された折り重ねられた用紙Ｓを反転させて前記の給紙カセット１１や手差しトレイ１５に再度セットして、トナー画像が形成されていない折り重ねられた用紙Ｓの反対側の面にトナー画像を形成させるようにすることもできる。なお、このように片面にトナー画像が形成された折り重ねられた用紙Ｓを反転させて、前記の給紙カセット１１や手差しトレイ１５に再度セットした場合、給紙ローラー１２，１６が折り重ねられた用紙Ｓの折り目Ｓａから離れる可能性があるため、この場合には、折り重ねられた用紙Ｓの折り目Ｓａの近くや、折り重ねられた用紙Ｓの折り目Ｓａに重なる位置に、給紙ローラー１２，１６を移動させるようにする。
【００５６】
また、給紙ローラー１２，１６を、折り重ねられた用紙Ｓの折り目Ｓａの近くや、折り重ねられた用紙Ｓの折り目Ｓａに重なるように位置にさせる場合に、折り重ねられた用紙Ｓを給紙カセット１１や手差しトレイ１５にどのように向けてセットするかを、操作者が誤ったりするのを防止するため、折り重ねられた用紙Ｓを給紙カセット１１や手差しトレイ１５にセットする方法等を案内する案内手段として、前記の画像形成装置１における操作パネル３４の表示部３４ａにこれらの案内を表示させるようにしたり、また前記の画像形成装置１にこのような案内を行う音声ガイド（図示せず）を設けるようにしたりすることができる。
【符号の説明】
【００５７】
１  画像形成装置
１１  給紙カセット，１１ａ  載置部，１１ｂ  規制板
１２  給紙ローラー
１３  分離ローラー
１４  タイミングローラー
１５  手差しトレイ，１５ａ  載置部，１５ｂ  規制板
１６  給紙ローラー
１７  捌きパッド
２０  画像形成部
２１  感光体
２２  帯電ローラー
２３  潜像形成装置
２４  現像装置
２５  転写ローラー
２６  クリーニング装置
２７  定着装置
３１  排紙・反転ローラー
３２  排紙トレイ
３３  反転ガイド部材
３４  操作パネル，３４ａ  表示部
Ｒ  反転搬送経路
Ｓ  用紙，Ｓ１  上面側の用紙，Ｓ２  下面側の用紙
Ｓａ  折り目
【図１】
0005991017.tif 000002
【図２】
0005991017.tif 000003
【図３】
0005991017.tif 000004
【図４】
0005991017.tif 000005
【図５】
0005991017.tif 000006
【図６】
0005991017.tif 000007
【図７】
0005991017.tif 000008
【図８】
0005991017.tif 000009
【図９】
0005991017.tif 000010